(57)【要約】【課題】面材や面材の表面側に固定される被固定物への振動の伝達を低減することができる面材に固定される被固定物の固定構造を提供することを課題とする。【解決手段】建物の床根太２と天井面材３と床根太２と天井面材３との間に介設された面材用下地部材４とを有し、面材に固定される被固定物の固定構造であって、天井面材３のうち床根太２側の面に配設された基板１２と、天井面材３のうち基板１２とは反対側の面に配設された照明器具（被固定物）Ｓと、床根太２と基板１２との間に介設された基板用下地部材１１と、を有し、照明器具Ｓは、ビス（固定部材）Ｂを介して基板１２に固定されており、基板用下地部材１１は、制振機能を備えていることを特徴とする。【選択図】図１
2013014895.tif 000002
【特許請求の範囲】
【請求項１】
建物の支持部材と面材と前記支持部材と前記面材との間に介設された面材用下地部材とを有し、前記面材に固定される被固定物の固定構造であって、
前記面材のうち前記支持部材側の面に配設された基板と、
前記面材のうち前記基板とは反対側の面に配設された被固定物と、
前記支持部材と前記基板との間に介設された基板用下地部材と、を有し、
前記被固定物は、固定部材を介して前記基板に固定されており、
前記基板用下地部材は、制振機能を備えていることを特徴とする面材に固定される被固定物の固定構造。
【請求項２】
前記基板用下地部材は板状を呈し、
前記支持部材に固定される第一固定板部と、
前記第一固定板部に対して略平行に形成され前記基板が固定される第二固定板部と、
前記第一固定板部と前記第二固定板部とを連結し弾性変形可能に形成された連結板部と、を有することを特徴とする請求項１に記載の面材に固定される被固定物の固定構造。
【請求項３】
前記基板は、前記第二固定板部の前記支持部材側の面に固定されていることを特徴とする請求項２に記載の面材に固定される被固定物の固定構造。
【発明の詳細な説明】
【技術分野】
【０００１】
本発明は、建物に用いられる面材に固定される被固定物の固定構造に関する。
【背景技術】
【０００２】
従来、住宅における天井構造として、天井面材が梁などの構造躯体から吊り下げられている吊り天井構造や、天井面材が上部の構造躯体に直接固定される直天井構造が知られている。例えば特許文献１には、吊り天井構造の一例が記載されている。吊り天井構造によれば、天井面材が吊り下げられているため、上階の振動が階下に伝達するのを防ぐことができる。
【０００３】
一方、直天井構造では、天井構造の高さを小さくすることができるが、例えば２階の床根太に１階の天井面材が直接取り付けられているため、２階で生じた振動が床根太を介して階下に伝達してしまう。従来、これを防ぐために、２階の床根太と１階の天井面材との間に振動を吸収する面材用下地部材を設けることが知られている。図４の（ａ）は従来の面材用下地部材を示した斜視図であり、（ｂ）は従来の面材用下地部材の使用例を示した断面図である。
【０００４】
図４の（ａ）及び（ｂ）に示すように、従来の面材用下地部材４は鋼製の薄い板状部材であって、２階の床根太２にビスＢで固定される第三固定板部４１と、天井面材３にビスＢで固定される第四固定板部４２と、第三固定板部４１と第四固定板部４２とを連結する連結板部４３とを有している。
【０００５】
図４の（ｂ）に示すように、面材用下地部材４は、天井面材３を片持ちで支持しており、連結板部４３が弾性変形することにより振動を吸収することができるため、床根太２から天井面材３に伝達する振動を低減することができる。
【０００６】
一方、図４の（ｂ）に示すように、天井面材３に照明器具Ｓを固定する場合、天井面材３の裏側に補強下地１００を設置することが知られている。補強下地１００の上面は床根太２に当接しており、下面は天井面材３に当接している。補強下地１００と床根太２、及び、照明器具Ｓの引掛けシーリング２１と補強下地１００とはそれぞれビスＢで固定されている。補強下地１００を備えることで、照明器具Ｓの重量が大きい場合にも照明器具Ｓの落下や天井面材３の変形を防止することができる。
【先行技術文献】
【特許文献】
【０００７】
【特許文献１】特開平９−２４２２５１号公報
【発明の概要】
【発明が解決しようとする課題】
【０００８】
しかし、従来の構造であると、床根太２の振動が補強下地１００を介して天井面材３や照明器具Ｓに伝達してしまうという問題があった。つまり、面材用下地部材４を用いているにもかかわらず、補強下地１００を介して天井面材３や照明器具Ｓに振動が伝達してしまうため、制振性能を発揮することができないという問題があった。また、振動が照明器具Ｓに伝達することで、照明器具Ｓの寿命が短くなったり、故障の原因になったりしていた。
【０００９】
本発明は、前記した問題に鑑みて創案されたものであり、面材や面材の表面側に固定される被固定物への振動の伝達を低減することができる面材に固定される被固定物の固定構造を提供することを課題とする。
【課題を解決するための手段】
【００１０】
前記課題を解決するため、本発明は、建物の支持部材と面材と前記支持部材と前記面材との間に介設された面材用下地部材とを有し、前記面材に固定される被固定物の固定構造であって、前記面材のうち前記支持部材側の面に配設された基板と、前記面材のうち前記基板とは反対側の面に配設された被固定物と、前記支持部材と前記基板との間に介設された基板用下地部材と、を有し、前記被固定物は、固定部材を介して前記基板に固定されており、前記基板用下地部材は、制振機能を備えていることを特徴とする。
【００１１】
かかる構成によれば、面材の表面側に固定される照明器具等の被固定物が、面材の裏側に配設された基板に固定されており、この基板は制振機能を備えた基板用下地部材を介して支持部材に固定されている。したがって、床根太の振動は、基板用下地部材で吸収されるため、面材や面材に固定された被固定物への振動の伝達を低減することができる。なお、被固定物としては、照明器具、ファン、装飾品、報知器等が挙げられる。
【００１２】
また、前記基板用下地部材は板状を呈し、前記支持部材に固定される第一固定板部と、前記第一固定板部に対して略平行に形成され前記基板が固定される第二固定板部と、前記第一固定板部と前記第二固定板部とを連結し弾性変形可能に形成された連結板部と、を有することが好ましい。
【００１３】
かかる構成によれば、連結板部が弾性変形することにより、振動が吸収されるため、面材や面材に固定された被固定物への振動の伝達を低減することができる。
【００１４】
また、前記基板は、前記第二固定板部の前記支持部材側の面に固定されていることが好ましい。かかる構成によれば、基板用下地部材と基板の全体の高さを小さくすることができるため、支持部材と面材の間を小さくすることができる。これにより、建物の室内空間を大きくすることができる。
【発明の効果】
【００１５】
本発明に係る面材に固定される被固定物の固定構造によれば、面材や面材に固定された被固定物への振動の伝達を低減することができる。
【図面の簡単な説明】
【００１６】
【図１】本実施形態に係る面材に固定される被固定物の固定構造を示した側断面図である。
【図２】（ａ）は本実施形態に係る下地ユニットを示した斜視図であり、（ｂ）は変形例に係る下地ユニットを示した斜視図である。
【図３】図１のＡ−Ａ矢視図である。
【図４】（ａ）は従来の面材用下地部材を示した斜視図であり、（ｂ）は従来の面材用下地部材の使用例を示した断面図である。
【発明を実施するための形態】
【００１７】
以下、本発明の実施形態について、図面を参照して詳細に説明する。図１に示すように、本実施形態に係る被固定物の固定構造１は、木造２階建て住宅の１階の天井に、被固定物として照明器具Ｓを設置する場合を例示する。なお、説明における上下左右は図１の矢印に従う。
【００１８】
被固定物の固定構造１は、床根太２と、天井面材３と、面材用下地部材４と、下地ユニット５と、照明器具Ｓで主に構成されている。
【００１９】
床根太（支持部材）２は、図１及び図３に示すように、所定の間隔をあけて平行に複数本配設されている木製部材である。床根太２は、隣接する床根太２間を例えば４５５ｍｍあけて配設されている。
【００２０】
天井面材（面材）３は、天井を構成する面材であって、例えば石膏ボード等の平板を用いる。天井面材３は、一定の厚みで形成されている。本実施形態では1枚設置しているが、上下に重ね合わせて２枚以上設置してもよい。
【００２１】
面材用下地部材４は、図４で説明した従来の形態と同等の部材である。面材下地部材４は、図１に示すように、鋼製の薄い板状部材であって、２階の床根太２にビスＢ等の固定部材で固定される第三固定板部４１と、天井面材３にビスＢで固定される第四固定板部４２と、第三固定板部４１と第四固定板部４２とを連結する連結板部４３とを有している。連結板４３には、図４の（ａ）で示すように、その開口の大きさによって振動のしやすさを調整することができる長孔４３ａが複数個所に形成されている。
【００２２】
下地ユニット５は、図１及び図２に示すように、照明器具Ｓを固定するためのユニットである。下地ユニット５は、同形状からなる一対の基板用下地部材１１と、基板１２とで構成されている。
【００２３】
基板用下地部材１１は、床根太２に固定される第一固定板部１３と、第一固定板部１３に対して略平行に形成され基板１２が固定される第二固定板部１４と、第一固定板部１３と第二固定板部１４とを連結する連結板部１５と、を有する。
【００２４】
第一固定板部１３は、板状を呈し一定の幅で床根太２に直交する方向に延設されている。第一固定板部１３は、床根太（支持部材）２に固定される部位である。第一固定板部１３には、一対の孔１３ａが形成されている。なお、第一固定板部１３の長手方向及び短手方向に沿ってリブを設けたり、端部を折り返したりして第一固定板部１３の剛性を高めてもよい。
【００２５】
第二固定板部１４は、板状を呈し一定の幅で第一固定板部１３と同等の長さで延設されている。また、第二固定板部１４は、第一固定板部１３と略平行になっている。第二固定板部１４は、基板１２が固定される部位である。第二固定板部１４の下面は本実施形態では平坦になっているが、例えば、第二固定板部１４の下面に下方に突出する小さな凸を設けて基板１２に対する滑り止め部を形成してもよい。また、第二固定板部１４の長手方向及び短手方向に沿ってリブを設けたり、端部を折り返したりして第二固定板部１４の剛性を高めてもよい。
【００２６】
連結板部１５は、板状を呈し、一定の幅で第一固定板部１３と同等の長さで延設されている。また、連結板部１５は、下方向に傾斜し、第一固定板部１３の端部と第二固定板部１４の端部とを連結している。連結板部１５は、弾性変形することにより床根太の振動を吸収する部位である。
【００２７】
連結板部１５には、等間隔で複数の長孔１５ａが形成されている。長孔１５ａの大きさによって連結板部１５の開口率を変えることができ、連結板部１５の変形のしやすさを調整することができる。なお、連結板部１５が弾性変形するのであれば、長孔１５ａは設けなくてもよい。
【００２８】
基板１２は、照明器具Ｓを支持する部材である。基板１２は、例えば木製や樹脂製の板状部材である。基板１２の中央には、配線Ｌを逃すための貫通孔１２ａが形成されている。基板１２の両端部には、互いに対向する基板用下地部材１１，１１がビスＢを介して固定されている。図１に示すように、基板１２は、天井面材３の裏面側に配設される。
【００２９】
照明器具Ｓは、図１に示すように、引掛シーリング２１と、照明本体２２とで構成されている。引掛シーリング２１は、照明本体２２を引掛けて保持することができる給電器具である。引掛シーリング２１は、例えば円柱状を呈し、その底面には電極刃が挿入される一対の円弧状の孔部（図示省略）が形成されている。引掛シーリング２１は、ビスＢ等の固定部材を介して天井面材３及び基板１２に固定されている。引掛シーリング２１には、電気を供給するための配線Ｌが連結されている。配線Ｌは、天井面材３の貫通孔３ａと、基板１２の貫通孔１２ａを通って電源まで引き回されている。
【００３０】
照明本体２２は、板状を呈する受け部２２ａと受け部２２ａを覆うグローブ２２ｂとで構成されている。受け部２２ａの中央には、鉤状を呈し、上方に向けて突出された一対の電極刃（図示省略）が形成されている。
【００３１】
次に、本実施形態に係る被固定物の固定構造１の施工方法について説明する。
まず、図２の（ａ）に示すように、下地ユニット５を形成する。具体的には、基板１２の上面の両端に、基板用下地部材１１，１１を固定する。
【００３２】
次に、図２の（ａ）及び図３に示すように、第一固定板部１３の孔１３ａ，１３ａと隣り合う床根太２，２とを対応させて、床根太２に下地ユニット５をビスＢで固定する。
【００３３】
次に、図３に示すように、複数の床根太２に直交する方向に複数の面材用下地部材４を配設し、床根太２と第三固定板部４１をビスＢで固定する。
【００３４】
次に、図１に示すように、天井面材３を第四固定板部４２に当接させ、第四固定板部４２に対応する位置において、複数のビスＢで固定する。天井面材３を配置する際には、天井面材３の貫通孔３ａと基板１２の貫通孔１２ａとが連通するようにする。
【００３５】
次に、貫通孔３ａ及び貫通孔１２ａから配線Ｌを室内側に引き出して、配線Ｌと引掛シーリング２１とを電気的に接続する。そして、引掛シーリング２１をビスＢで天井面材３及び基板１２に固定する。
【００３６】
最後に、照明本体２２の受け部２２ａから天井面材３側に突出した一対の電極刃（図示省略）を引掛シーリング２１に挿入し、円周方向に照明本体２２を回転させることにより、引掛シーリング２１に対して照明器具Ｓが支持される。
【００３７】
被固定物の固定構造１の施工方法については前記した方法に限定されるものではない。例えば、基板用下地部材１１，１１を床根太２に固定した後に、基板用下地部材１１に基板１２を固定してもよい。また、引掛シーリング２１と照明本体２２との着脱構造は他の公知の方法から適宜採用すればよい。
【００３８】
以上説明した被固定物の固定構造１によれば、天井面材３の表面側に固定される照明器具（被固定物）Ｓが、天井面材３の裏側に配設された基板１２に固定されており、この基板１２は制振機能を備えた基板用下地部材１１を介して支持部材２に固定されている。したがって、床根太２の振動は、基板用下地部材１１の連結板部１５で吸収されるため、天井面材１１や天井面材３に固定された照明器具Ｓへの振動の伝達を低減することができる。
【００３９】
また、天井面材３と床根太２との間に配設された面材用下地部材４でも振動を吸収することができるため、天井面材１１や天井面材３に固定された照明器具Ｓへの振動の伝達を相乗的に低減することができる。また、本実施形態によれば、基板用下地部材１１及び面材用下地部材４で制振することにより床の遮音性能の向上を図ることができる。
【００４０】
以上本発明の実施形態について説明したが本発明趣旨に反しない範囲において適宜設計変更が可能である。例えば、本実施形態では天井を構築する場合について説明したが、壁を構築する場合に用いてもよい。この場合、支持部材として柱やスタッドを採用し、面材として壁面材を採用すればよい。
【００４１】
また、制振機能を備えた基板用下地部材は、本実施形態では薄板の鋼製部材を用いたが、例えば弾性機能を備えたゴムや樹脂を採用してもよい。つまり、基板用下地部材は、振動を吸収する材料及び構造であればどのようなものであってもよい。
【００４２】
また、本実施形態では天井面材３に固定する被固定物として照明器具Ｓを用いたが、例えば、ファンや装飾品等であってもよい。また、本実施形態では、基板用下地部材１１を一対設けたが、例えば照明器具Ｓが大きい場合などは、三本以上用いてもよい。また、本実施形態では、隣り合う二本の床根太２に跨って基板用下地部材１１を設置しているが、三本以上に跨って設置してもよい。
【００４３】
図２の（ｂ）は、変形例に係る下地ユニットを示した斜視図である。下地ユニット５Ａは、基板１２が、基板用振動部材１１の第二固定板部１４の上面（床根太２側の面）に固定されている点で前記した実施形態の下地ユニット５と相違する。変形例に係る下地ユニット５Ａによれば、第二固定板部１４の上に基板１２が固定されるので、下地ユニット５の全体の高さを小さくすることができ、ひいては、建物の室内空間を大きくすることができる。また、面材用下地部材４は、本実施形態では、前記した形態にしたが他の形状であってもよい。
【符号の説明】
【００４４】
１      被固定物の固定構造
２      根太（支持部材）
３      天井面材（面材）
３ａ    貫通孔
４      面材用下地部材
５      下地ユニット
１１    基板用下地部材
１２    基板
１２ａ  貫通孔
１３    第一固定板部
１４    第二固定板部
１５    連結板部
２１    引掛シーリング
２２    照明本体
４１    第三固定板部
４２    第四固定板部
４３    連結板部
１００  補強下地
Ｓ      照明器具（被固定物）
【図１】
2013014895.tif 000003
【図２】
2013014895.tif 000004
【図３】
2013014895.tif 000005
【図４】
2013014895.tif 000006